(57)【特許請求の範囲】
【請求項１】
撮影光学系を保持するカメラ本体と、
前記撮影光学系の光路とは異なる光路を形成するファインダー光学系を組み込むための開口部を有し、前記ファインダー光学系を保持するファインダーケースと、
前記撮影光学系と前記ファインダー光学系との間に配置され、前記カメラ本体が有する軸部と係合して回転可能に支持される動力伝達部材と、
前記ファインダーケースの開口部を覆うとともに、前記ファインダー光学系側の面と対向する面に位置する板部材とを有し、
前記カメラ本体と前記板部材との間にある前記動力伝達部材を前記板部材により前記カメラ本体に保持することを特徴とするカメラ。
【発明の詳細な説明】
【０００１】
【発明の属する技術分野】
本発明は、ファインダー光学系を保持するファインダーケースを備えたファインダー装置および光学機器に関するものである。
【０００２】
【従来の技術】
従来、ファインダー光学系１０２は、図１３に示すようにファインダー地板１０１の上面部に形成された開口部１０１ａから組み込まれた後、保護部材であるファインダーカバー１０３により、ファインダー地板１０１の開口部１０１ａを覆うと共に、ファインダー光学系１０２がカバーされ、ファインダー光学系１０２が組み込まれたファインダー地板１０１は、カメラ本体１０５の上面部およびカメラ本体１０５の上面部に配置されたギア列１０６をカメラ本体１０５に保持する押さえ板１０７の上面部に取り付けることでカメラ本体１０５に固定されていた。
【０００３】
【発明が解決しようとする課題】
しかしながら、上記従来の構成では、ファインダー地板１０１をカメラ本体１０５に取り付けると、図１３に示すように、ファインダー光学系１０２を支持するファインダー地板１０１の支持面１０１ｂとギア列１０６をカメラ本体１０５に保持するギア押さえ板１０７の保持面１０７ａとの２部品の面が存在することから、カメラの高さ方向が長くなる。また、ファインダー地板１０１の開口部１０１ａを覆うファインダーカバー１０３の上面部に液晶表示部１０８等が配置されると、更にカメラの高さ方向が長くなってしまい、カメラの小型化を図ることが困難であった。
【０００４】
本発明の目的は、部品点数を増やすことなく、ファインダーケースを構成するファインダー光学系を組み込むためのケースの一部を覆うことができ、小型化を図ることができるようなカメラを提供することにある。
【０００５】
しかも、ファインダー光軸と撮影光軸との距離を短くすることで、パララックスずれの少ないカメラを実現することにある。
【０００６】
【課題を解決するための手段】
本発明は、撮影光学系を保持するカメラ本体と、撮影光学系の光路とは異なる光路を形成するファインダー光学系を組み込むための開口部を有し、ファインダー光学系を保持するファインダーケースと、撮影光学系とファインダー光学系との間に配置され、カメラ本体が有する軸部と係合して回転可能に支持される動力伝達部材と、ファインダーケースの開口部を覆うとともに、ファインダー光学系側の面と対向する面に位置する板部材とを有し、カメラ本体と板部材との間にある動力伝達部材を板部材によりカメラ本体に保持することを特徴とする。
【０００９】
上記した構成によれば、ファインダーケースの開口部を覆う板部材を用いて、カメラ本体の軸部に回転可能に支持される動力伝達部材を保持させることにより、ファインダー光学系及び撮影光学系を互いに近づけて配置することができ、カメラの小型化を図ることができる。
【００１１】
しかも、ファインダー光軸と撮影光軸との距離を短くすることができ、パララックスずれの少ないカメラを実現することができる。
【００１２】
【発明の実施の形態】
［第１の実施の形態］
図１から図１２は本発明の第１の実施の形態を示したものである。
【００１３】
図１は下方向から見たファインダーユニットを示す斜視図、図２は図１の構成を示す分解斜視図、図３は上方向から見たファインダーユニットを示す上面斜視図、図４は図３の構成を示す分解斜視図、図５は視野枠切換え部材を示す正面図、図６はポロプリズムの４５°反射面と同様の傾斜面が形成された状態を示すファインダー地板及び実像式ファインダー光学系の部分断面斜視図、図７はファインダーユニットがカメラ本体に取り付けられた状態を示す縦断面図、図８は視野枠切換え操作部を示す分解斜視図、図９は視野枠切換え操作部が切換わった状態を示す背面図で、（ａ）は視野枠がＣサイズに切換わった状態、（ｂ）は視野枠がＨサイズに切換わった状態、（ｃ）は視野枠がＰサイズに切換わった状態を示すものである。
【００１４】
図１０は視野枠切換え駆動装置が切換わった状態を示す背面図で、（ａ）は視野枠がＣサイズに切換わった状態、（ｂ）は視野枠がＨサイズに切換わった状態、（ｃ）は視野枠がＰサイズに切換わった状態を示す、図１１は視野枠切換え装置が切換わった状態を示す背面図で、（ａ）は視野枠がＣサイズに切換わった状態、（ｂ）は視野枠がＨサイズに切換わった状態、（ｃ）は視野枠がＰサイズに切換わった状態を示すものである。
【００１５】
図１２は視野枠切換え装置の視野枠切換え部材が切換わった状態を示す背面図で、（ａ）は視野枠がＣサイズに切換わった状態、（ｂ）は視野枠がＨサイズに切換わった状態、（ｃ）は視野枠がＰサイズに切換わった状態を示すものである。
【００１６】
図１から図８において、ファインダーユニットは、図１及び図３に示すように、実像式ファインダー光学系２（ファインダー光学系）と、ファインダー視野枠を切換える（本実施の形態では、Ｃサイズ、Ｈサイズ、Ｐサイズ）視野枠切換え装置３と、視野枠切換え装置３を駆動する視野枠切換え駆動装置４と、自動合焦装置５と、測光装置６で構成され、ファインダー地板１（ファインダーケース）が取り付けられている。
【００１７】
まず、実像式ファインダー光学系２について説明する。
【００１８】
実像式ファインダー光学系２は、ファインダー地板１の前面に形成された絞り１ａ（図４参照）の後方に配置された対物レンズ７と、結像面８ａを有し後述する視野枠地板１２に保持されたフィールドレンズ８と、対物レンズ７及びフィールドレンズ８が捉えた被写体像を上下左右に反転するポロプリズム９と、接眼レンズとで構成され、図２に示すように、対物レンズ７と、フィールドレンズ８とポロプリズム９は、ファインダー地板１の下面中央部に形成された開口部１ｂから組み込むことでファインダー地板１に保持されポロプリズム９のＶ字状の反射面９ａが先端がＶ字状のプリズムカバー１１により覆われている。また、接眼レンズ１０は、ファインダー地板１の後方に形成された開口部１ｃから組み込むことでファインダー地板１に保持されている。
【００１９】
次に、視野枠切換え装置３について説明する。
【００２０】
視野枠切換え装置３は、フィールドレンズ８とポロプリズム９との間に配置され、図２に示すように、フィールドレンズ８の結像面８ａに対向配置された視野枠地板１２と、ファインダー視野枠を切換えるファインダー光軸とほぼ直交方向に移動する一対のＬ字状の視野枠切換え部材１３，１４と、視野枠切換え部材１３，１４との間に配置されたスペーサー１５と、ファインダー光軸を中心として回転し視野枠切換え部材１３，１４を駆動させる駆動リング１６と、視野枠切換え部材１３，１４とスペーサー１５及び駆動リング１６を視野枠地板１２に保持する視野枠カバー１７で構成されており、実像式ファインダー光学系２と同様にファインダー地板１の開口部１ｂから組み込むことでファインダー地板１に保持されている。
【００２１】
視野枠地板１２の中央部には、Ｈサイズの視野枠１２ａが形成されている。この視野枠１２ａの両側には、視野枠切換え部材１３，１４を摺動可能に嵌合支持する支持軸１２ｂ，１２ｃと、外側両端面に視野枠カバー１７を係止する４本の係止爪１２ｄが形成されている。
【００２２】
視野枠切換え部材１３，１４には、図５に示すように、視野枠地板１２の視野枠１２ａの長辺方向を遮蔽する遮蔽部１３ａ，１４ａ及び短辺方向を遮蔽する遮蔽部１３ｂ，１４ｂが形成されており、遮蔽部１３ａ，１４ａが視野枠地板１２の視野枠１２ａ内に進入し長辺方向を遮蔽すると図１２（ａ）に示すように、視野枠地板１２の視野枠１２ａがＨサイズからＣサイズに切換わる。また、遮蔽部１３ｂ，１４ｂが視野枠地板１２の視野枠１２ａ内に進入し、短辺方向を遮蔽すると図１２（ｃ）に示すように、視野枠地板１２の視野枠１２ａがＨサイズからＰサイズに切換わる。更に、遮蔽部１３ａ，１３ｂ，１４ａ，１４ｂが視野枠地板１２の視野枠１２ａ外に退避すると、図１２（ｂ）に示すように、Ｈサイズに切換わるようになっている。また、視野枠切換え部材１３，１４をＨサイズからＣサイズに移動させるカムＨＣと、ＨサイズからＰサイズに移動させるカムＨＰを有するカム孔１３ｃ，１３ｄ，１４ｃ，１４ｄが形成されており、図２に示すようにカム孔１３ｃ，１４ｄは視野枠地板１２の支持軸１２ｂと、カム孔１３ｄ，１４ｃは視野枠地板１２の支持軸１２ｃとそれぞれ摺動可能に嵌合することで支持されている。更に、遮蔽部１３ａ，１４ａを形成する部分には、駆動リング１６の駆動軸１６ｂ，１６ｃと嵌合する長孔１３ｅ，１４ｅが形成されている。スペーサー１５の中央部には、視野枠地板１２の視野枠１２ａより大きい開口部１５ａが形成されている。この開口部１５ａの両側には、視野枠１２の支持軸１２ｂ，１２ｃと摺動可能に嵌合する孔１５ｂ，１５ｃが形成されており、ファインダー光軸と平行に移動するようになっている。更に、駆動リング１６の駆動軸１６ｂ，１６ｃが貫通する長孔１５ｄ，１５ｅが形成されている。
【００２３】
駆動リング１６は視野枠地板１２と視野枠カバー１７との内周に回転可能に支持されており、ファインダー光軸を中心として回転するようになっている。駆動リング１６の中央部には視野枠地板１２の視野枠１２ａより大きい開口部１６ａが形成されている。この開口部１６ａの両側には、スペーサー１５の長孔１５ｄ，１５ｅを貫通し、視野枠切換え部材１３，１４の長孔１３ｅ，１４ｅと摺動可能に嵌合する駆動軸１６ｂ，１６ｃが形成されており、この駆動軸１６ｄ，１６ｃにより駆動リング１６の回転力が視野枠切換え部材１３，１４に伝達され、視野枠切換え部材１３，１４はカム孔１３ｃ，１３ｄ，１４ｃ，１４ｄに沿って移動することで、視野枠地板１２の視野枠１２ａがＣサイズ或いはＰサイズに切換わるようになっている。
【００２４】
また、駆動軸１６ｄと対向する位置（反対側）には、後述する視野枠切換え駆動装置４の駆動力が伝達される伝達軸１６ｄが形成されている。
【００２５】
視野枠カバー１７の中央部には、視野枠地板１２の視野枠１２ａより大きい開口部１７ａが形成されている。また、駆動リング１６の伝達軸１６ｄが貫通する孔１７ｂと、４本の係止部１７ｃが形成されており、この係止部１７ｃが視野枠地板１２の係止爪１２ｄに係止されることにより、視野枠切換え部材１３，１４とスペーサー１５及び駆動リング１６が視野枠地板１２に保持されるようになっている。
【００２６】
次に、視野枠切換え駆動装置４について説明する。
【００２７】
視野枠切換え駆動装置４は、図２及び図４に示すように、ファインダー地板１の側面に対向配置された、ファインダー光軸に対して直交方向（上下方向）に移動することで駆動リング１６に駆動力を伝達する伝達板１８と、ファインダー地板１の後方に対向配置された視野枠切換え状態を検出するフレキシブル基板１９と、伝達レバー２１と一体で回転駆動する検出ＳＷ２０と、ファインダー地板１の後方に形成された軸１ｄを中心として回転し後述する視野枠切換え操作部４７の回転力を伝達板１８に伝達する伝達レバー２１と、フレキシブル基板１９と検出ＳＷ２０との間に配置され、伝達レバー２１と一体で回転駆動するトーションバネ２２と、伝達板１８と伝達レバー２１をファインダー地板１に保持する保持板２３で構成されている。
【００２８】
伝達板１８は保持板２３によりファインダー地板１に保持されている。伝達板１８には、図４に示すように、ファインダー地板１に形成された凸部１ｅと摺動可能に嵌合する溝１８ａが形成されており、ファインダー地板１の凸部１ｅをガイドにファインダー光軸に対して直交方向（上下方向）に移動するようになっている。また、端面には駆動リング１６の伝達軸１６ｄと摺動可能に嵌合する長孔１８ｂが形成されており、伝達板１８の駆動力が駆動リング１６に伝達されるようになっている。更に、長孔１８ｂの対向する位置（溝１８の近傍）にはトーションバネ２２と嵌合する軸１８ｃが形成されており、伝達レバー２１の回転力が伝達されるようになっている。
【００２９】
フレキシブル基板１９は視野枠１９の切換え状態を検出する検出部１９ａと不図示のメイン基板と接続される接続部１９ｂが形成されている。図２に示すように、検出部１９ａには視野枠地板１２の視野枠１２ａがＣサイズであることを検出するＣパターン１９ｃと、Ｈサイズであることを検出するＨパターン１９ｄと、Ｐサイズであることを検出するＰパターン１９ｅ及びＣパターン１９ｃ、Ｈパターン１９ｄ、Ｐパターン１９ｅ相互と対向する位置にＧＮＤパターン１９ｆが設けられていると共に検出部１９ａには孔１９ｇ，１９ｈが形成されており、この孔１９ｇはファインダー地板１に形成された軸１ｄと、また孔１９ｈはファインダー地板１に形成された軸１ｆとそれぞれ嵌合することで、ファインダー地板１に対してフレキシブル基板１９の検出部１９ａの位置が決まるようになっている。また、接続部１９ｂは、図６に示すように、ポロプリズム９の反射面９ｂと同様の傾斜で形成されたファインダー地板１の受面１ｇに沿って固定されている。
【００３０】
検出ＳＷ２０には、フレキシブル基板１９のＣパターン１９ｃ、Ｈパターン１９ｄ、Ｐパターン１９ｅと接触する２本の接点部２０ａと、ＧＮＤパターン１９ｆと接触する２本の接点部２０ｂが形成されている。また、伝達レバー２１と嵌合する孔２０ｃ，２０ｄが形成されている。
【００３１】
伝達レバー２１には、ファインダー地板１の軸１ｄと回転可能に嵌合する孔２１ａが形成されており、この孔２１ａを中心に伝達レバー２が回転するようになっている。更に、保持板２３によりファインダー地板１に保持されている。また、検出ＳＷ２０の位置を決める軸２１ｂと孔２１ａを有する軸２１ｃが形成されており、この軸２１ｂは、検出ＳＷ２０の孔２０ｃと、また軸２１ｃは検出ＳＷ２０とそれぞれ嵌合することで伝達レバー２１に対して検出ＳＷ２０の位置が決まると共に、固定されているため検出ＳＷ２０は伝達レバー２１と一体で回転するようになっている。更に、先端部には、軸２１ｃの外周に組み込まれたトーションバネ２２を掛ける先端がＴ字状のフック２１ｄと、後述する視野枠切換え操作部４７の回転力が伝達される伝達軸２１ｅ（図２参照）がフック２１ｄと対向する位置（反対側）に形成されている。また、側面には、視野枠切換え部材１３，１４が視野枠地板１２の視野枠１２ａから退避した状態位置（Ｈサイズ）を保持するためのＶ字状の凹部２１ｆが形成されている。
【００３２】
トーションバネ２２には、伝達レバー２１の回転力を伝達する伝達部２２ａが形成されており、この伝達部２２ａを伝達レバー２１のフック２１ｄに掛けられることで、伝達レバー２１と一体で回転すると共に、伝達板１８の軸１８ｃが挟み込まれ、伝達レバー２１の回転力が伝達板１８に伝達されるようになっている。
【００３３】
保持板２３はファインダー地板に固定されており、伝達板１８を保持する保持部２３ａと、伝達レバー２１を保持する保持部２３ｂと、伝達レバー２１の凹部２１ｆに進入する先端がＶ字状の突部２３ｃが形成されている。この突部２３ｃは、伝達レバー２１の凹部２１ｆに進入していない時、即ち、視野枠地板１２の視野枠１２ａがＣサイズ或いはＰサイズに切換わっている時では、伝達レバー２１の凹部２１ｆの近傍に形成されたＲ面２１ｇ，２１ｈに当接するようになっている。
【００３４】
次に、自動合焦装置５と、測光装置６について説明する。
【００３５】
自動合焦装置５は、図１に示すように、実像式ファインダー光学系２の両側に配置され、投光部２４と受光部２５で構成されており、図４に示すように、投光部２４は先端が球Ｒ状の凸部２６ａが形成された投光素子２６と、投光素子２６の凸部２６ａが貫通する開口部２７ａが形成され、投光素子２６を保持する投光ホルダー２７からなり、ファインダー地板１に形成された開口部１ｈの後方に接着により固定されている。また、開口部１ｈの前方には投光レンズ３１が保持されている。
【００３６】
また、受光部２５は受光素子２８と、受光素子２８が半田付けされ不図示のメイン基板と接続されるフレキシブル基板２９と、開口部３０ａが形成されフレキシブル基板２９に半田付けされることにより固定されるシールド板３０からなり、ファインダー地板１に形成された開口部１ｉの後方に接着により固定されている。また、開口部１ｉの前方には受光レンズが保持されている。
【００３７】
測光装置６は自動合焦装置５の投光部２４の外側に配置され、測光素子３３がファインダー地板１に固定されている。また、ファインダーユニットには、後述する対物保護窓４５の落下を防止するゴム３４がファインダー地板１の絞り１ａの前面に接着により固定されている。
【００３８】
上記説明したファインダーユニットは、図７に示すように、ファインダー地板１の下面部がカメラ本体３５の上面部及びカメラ本体３５の上面部に配置されたギア列３６をカメラ本体３５に保持するギア押さえ板３７（保持部材）の上面部に取り付けることで、カメラ本体３５に固定されると共に、ファインダー地板１の開口部１ｂが覆われる。即ち、ファインダー地板１の開口部１ｂから組み込まれた実像式ファインダー光学系２の対物レンズ７とフィールドレンズ８及びポロプリズム９と、視野枠切換え装置３がカバーされる。
【００３９】
上記説明したように、本実施形態によれば、ファインダー地板１の下面部に実像式ファインダー光学系２及び視野枠切換え装置３を組み込むための開口部１ｂを形成し、カメラ本体３５と、ギア押さえ板３７でファインダー地板１の開口部１ｂを覆う構成にすることにより、実像式ファインダー光学系２及び視野枠切換え装置３を覆う保護部材が不要となるので、カメラの高さ方向を低くすることができる。更に、実像式ファインダー光学系２を撮影光学系４０に近づけることができるのでファインダー光軸と撮影光軸との距離が短くなり、パララックスずれを少なくすることができる。
【００４０】
このファインダーユニットの上面部にはプリント基板３８に取り付けられた液晶表示部３９が配置され、カメラ本体３５の前方には撮影光学系４０が取り付けられた鏡筒ユニット４１が配置されている。そして、ファインダーユニットや液晶表示部３９や鏡筒ユニット４１などが取り付けられたカメラ本体３５は、前カバー４２と、後カバー４３により覆われている。
【００４１】
前カバー４２の前方には、撮影光学系４０に対する開口部４２ａが形成されており、この開口部４２ａは、前カバー４２と撮影光学系４０との間に配置され、前カバー４２に取り付けられたバリア４４により開閉される。また、実像式ファインダー光学系２に対する開口部４２ｂが形成されており、この開口部４２ｂは、透明な材料からなる対物保護窓４５が前カバー４２の内側から接着により固定されると共に、ファインダー地板１に取り付けられたゴム３４により前カバー４２に付勢している。
【００４２】
後カバー４３の上面には、ファインダーユニットの上面部に配置された液晶表示部３９を覗くための開口部４３ａが形成されており、この開口部４３ａは、透明な材料からなる保護窓４６が後カバー４３の内側から接着により固定されている。また、後方にはファインダーを覗くための開口部４３ｂが形成され、この開口部４３ｂの近傍には、図８に示すように、視野枠切換え駆動装置４（伝達レバー２１）を操作する視野枠切換え操作部４７が配置されている。
【００４３】
視野枠切換え操作部４７は、後カバー４３の後方外側に対向配置され、撮影者が視野枠切換えを行う際、操作する操作ツマミ４８と、後カバー４３の後方内側に対向配置され操作ツマミ４８の駆動力を視野枠切換え駆動装置４の伝達レバー２１に伝達すると共に、視野枠地板１２ａをＣサイズ、Ｈサイズ、Ｐサイズのいずれかに切換えた時、操作ツマミ４８をその位置で係止させるクリック板４９で構成されている。
【００４４】
操作ツマミ４８には、撮影者が操作する操作部４８ａと、後カバー４３に形成された孔４３ｃと回転可能に嵌合する嵌合軸４８ｂが形成されており、後カバー４３の孔４３ｃを中心に回転するようになっている。また、嵌合軸４８ｂには、クリック板４９の位置を決める軸４８ｃ，４８ｄが形成されている。
【００４５】
クリック板４９には操作ツマミ４８の軸４８ｃ，４８ｄと嵌合する孔４９ａ，４９ｂが形成されており、操作ツマミ４８の軸４８ｃと孔４９ａ及び操作ツマミ４８の軸４８ｄと孔４９ｂが嵌合することで操作ツマミ４８に対してクリック板４９の位置が決まると共に、ビス５０により操作ツマミ４８に固定されているので、操作ツマミ４８と一体で回転するようになっている。また、伝達レバー２１の伝達軸２１ｅと嵌合するコ字状の切り欠き部４９ｃが形成されており、この切り欠き部４９ｃの端面４９ｄ，４９ｅが伝達レバー２１の伝達軸２１ｅに当接することで、操作ツマミ４８の回転力が伝達レバー２１に伝達される。更に、後カバー４３の孔４３ｃの近傍に形成された３個の凹部４３ｄ，４３ｅ，４３ｆに進入する先端が球Ｒ状の凸部４９ｆが形成されており、この凸部４９ｆが後カバー４３の凹部４３ｄ，４３ｅ，４３ｆのいずれかに進入することで、操作ツマミ４８を係止することができる。即ち、操作ツマミ４８を回転させて、凸部４９ｆが後カバー４３の凹部４３ｄに係止されると、視野枠地板１２の視野枠１２ａがＣサイズに切換わる。また、凸部４９ｆが後カバー４３の凹部４３ｅに係止されると、視野枠地板１２の視野枠１２ａがＨサイズに切換わる。また、凸部４９ｆが後カバー４３の凹部４３ｆに係止されると、視野枠地板１２の視野枠１２ａがＰサイズに切換わる。
【００４６】
次に、図９から図１２において、視野枠切換え動作について説明する。
【００４７】
まず視野枠をＨサイズからＣサイズに切換える場合、操作ツマミ４８の操作部４８ａを図９（ｂ）に示す状態から押し下げると、操作ツマミ４８は後カバー４３の孔４３ｃを中心に時計方向に回転する。この回転により、操作ツマミ４８と一体になっているクリック板４９が操作ツマミ４８と同様に時計方向に回転する。この時、クリック板４９の切り欠き部４９ｃの端面４９ｄが図９（ａ）に示すように、伝達レバー２１の伝達軸２１ｅと当接することで、クリック板４９の回転力（即ち操作ツマミ４８の回転力）が伝達レバー２１に伝達される。
【００４８】
回転力が伝達された伝達レバー２１は、ファインダー地板１の軸１ｄを中心にクリック板４９と同様に時計方向に回転する。この回転により、伝達レバー２１と一体になっている検出ＳＷ２０と、トーションバネ２２が伝達レバー２１と同様に時計方向に回転する。この時、伝達レバー２１の凹部２１ｆに進入していた保持板２３の突部２３ｃは、図１０（ａ）に示すように、伝達レバー２１のＲ面２１ｇに沿ってチャージされる。トーションバネ２２の回転により、伝達レバー２１の回転力はトーションバネ２２の伝達部２２ａを介して伝達板１８の軸１８に伝達される。
【００４９】
回転力が伝達された伝達板１８は、図１０（ａ）に示すように、ファインダー地板１の凸部１ｅをガイドに下側に移動する。この移動により、伝達板１８の駆動力は、伝達板１８の長穴１８ｂを介して駆動リング１６の伝達軸１６ｄに伝達される。
【００５０】
駆動力が伝達された駆動リング１６は図１１（ａ）に示すように、ファインダー光軸を中心に時計方向に回転する。この回転により駆動リング１６の回転力は、駆動リング１６の駆動軸１６ｂを介して視野枠切換え部材１３の長孔１３ｅと駆動リング１６の駆動軸１６ｃを介して視野枠切換え部材１４の長孔１４ｅに伝達される。
【００５１】
回転力が伝達された視野枠切換え部材１３は、図１２（ａ）に示すように視野枠地板１２の支持軸１２ｂ，１２ｃをガイドに、視野枠切換え部材１３のカム孔１３ｃ，１３ｄのカムＨＣに沿って、斜め左下に移動する。この移動により、視野枠地板１２の視野枠１２ａ外に退避していた視野枠切換え部材１３の遮蔽部１３ａが視野枠地板１２の視野枠１２ａ内に進入し、視野枠地板１２の視野枠１２ａの長辺方向が遮蔽される。また、視野枠切換え部材１４は、図１２（ａ）に示すように、視野枠地板１２の支持軸１２ｂ，１２ｃをガイドに視野枠切換え部１４のカム孔１４ｃ，１４ｄのカムＨＣに沿って、斜め右上に移動する。この移動により、視野枠地板１２の視野枠１２ａ外に退避していた視野枠切換え部材１４の遮蔽部１４ａが視野枠地板１２の視野枠１２ａ内に進入し、視野枠地板１２の視野枠１２ａの長辺方向が遮蔽されることで、視野枠がＨサイズからＣサイズに切換わる。
【００５２】
また、伝達レバー２１と一体で回転している検出ＳＷ２０の接点部２０ａは、図１０（ａ）に示すように、フレキシブル基板１９の検出部１９ａのＨパターン１９ｄからＣパターン１９ｃに切換わることで、Ｃサイズであることが検出される。また、操作ツマミ４８と一体で回転しているクリック板４９の凸部４９ｆは、図９（ａ）に示すように、後カバー４３の凹部４３ｅから凹部４３ｄに移動することで、クリック板４９の凸部４９ｆが後カバー４３の凹部４３ｄに係止されると共に、操作ツマミ４８が回転した位置で停止する。
【００５３】
次に、視野枠をＨサイズからＰサイズに切換える場合、操作ツマミ４８の操作部４８ａを図９（ｂ）に示す状態から押し上げると、操作ツマミ４８は後カバー４３の孔４３ｃを中心に反時計方向に回転する。この回転により、操作ツマミ４８と一体になっているクリック板４９が操作ツマミ４８と同様に反時計方向に回転する。この時、クリック板４９の切り欠き部４９ｃの端面４９ｅが図９（ｃ）に示すように、伝達レバー２１の伝達軸２１ｅと当接することで、クリック板４９の回転力（即ち操作ツマミ４８の回転力）が伝達レバー２１に伝達される。
【００５４】
回転力が伝達された伝達レバー２１は、ファインダー地板１の軸１ｄを中心にクリック板４９と同様に反時計方向に回転する。この回転により、伝達レバー２１と一体になっている検出ＳＷ２０と、トーションバネ２２が伝達レバー２１と同様に反時計方向に回転する。この時、伝達レバー２１の凹部２１ｆに進入していた保持板２３の突部２３ｃは、図１０（ｃ）に示すように、伝達レバー２１のＲ面２１ｈに沿ってチャージされる。トーションバネ２２の回転により、伝達レバー２１の回転力はトーションバネ２２の伝達部２２ａを介して伝達板１８の軸１８に伝達される。
【００５５】
回転力が伝達された伝達板１８は、図１０（ｃ）に示すように、ファインダー地板１の凸部１ｅをガイドに上側に移動する。この移動により、伝達板１８の駆動力は、伝達板１８の長穴１８ｂを介して駆動リング１６の伝達軸１６ｄに伝達される。
【００５６】
駆動力が伝達された駆動リング１６は、図１１（ｃ）に示すように、ファインダー光軸を中心に時計方向に回転する。この回転により、駆動リング１６の回転力は、駆動リング１６の駆動軸１６ｂを介して視野枠切換え部材１３の長孔１３ｅと、駆動リング１６の駆動軸１６ｃを介して視野枠切換え部材１４の長孔１４ｅに伝達される。
【００５７】
回転力が伝達された視野枠切換え部材１３は、図１２（ｃ）に示すように、視野枠地板１２の支持軸１２ｂ，１２ｃをガイドに、視野枠切換え部材１３のカム孔１３ｃ，１３ｄのカムＨＰに沿って、斜め右上に移動する。この移動により、視野枠地板１２の視野枠１２ａ外に退避していた視野枠切換え部材１３の遮蔽部１３ｂが視野枠地板１２の視野枠１２ａ内に進入し、視野枠地板１２の視野枠１２ａの短辺方向が遮蔽される。また、視野枠切換え部材１４は、図１２（ｃ）に示すように、視野枠地板１２の支持軸１２ｂ，１２ｃをガイドに、視野枠切換え部材１４のカム孔１４ｃ，１４ｄのカムＨＰに沿って、斜め左下に移動する。この移動により、視野枠地板１２の視野枠１２ａ外に退避してした視野枠切換え部材１４の遮蔽部１４ｂが視野枠地板１２の視野枠１２ａ内に進入し、視野枠地板１２の視野枠１２ａの短辺方向が遮蔽されることで、視野枠がＨサイズからＰサイズに切換わる。
【００５８】
また、伝達レバー２１と一体で回転している検出ＳＷ２０の接点部２０ａは、図１０（ｃ）に示すようにフレキシブル基板１９の検出部１９ａのＨパターン１９ｄからＰパターン１９ｅに切換わることで、Ｐサイズであることが検出される。また、操作ツマミ４８と一体で回転しているクリック板４９の凸部４９ｆは、図９（ｃ）に示すように、後カバー４３の凹部４３ｅから凹部４３ｆに移動することで、クリック板４９の凸部４９ｆが後カバー４３の凹部４３ｆに係止されると共に、操作ツマミ４８が回転した位置で停止する。
【００５９】
尚、本発明に係るファインダーケースは、本実施の形態におけるファインダー地板１に対応し、ファインダー光学系は、実像式ファインダー光学系２に対応し、保持部材は、ギア押さえ板３７に対応するものである。
【００６０】
【発明の効果】
本発明によれば、ファインダーケースの開口部を覆う板部材を用いて、カメラ本体の軸部に回転可能に支持される動力伝達部材を保持させることにより、ファインダー光学系及び撮影光学系を互いに近づけて配置することができ、カメラの小型化を図ることができる。しかも、ファインダー光軸と撮影光軸との距離を短くすることができ、パララックスずれの少ないカメラを実現することができる。
【図面の簡単な説明】
【図１】本出願に係る発明の第１の実施の形態を示す下方向から見たファインダーユニットの斜視図。
【図２】本出願に係る発明の第１の実施の形態を示す図１の構成の分解斜視図。
【図３】本出願に係る発明の第１の実施の形態を示す上方向から見たファインダーユニットの斜視図。
【図４】本出願に係る発明の第１の実施の形態を示す図３の構成の分解斜視図。
【図５】本出願に係る発明の第１の実施の形態を示す視野枠切換え部材の正面図。
【図６】本出願に係る発明の第１の実施の形態を示すポロプリズムの４５°反射面と同様に傾斜面が形成された状態のファインダー地板および実像式ファインダー光学系の部分断面斜視図。
【図７】本出願に係る発明の第１の実施の形態を示すファインダーユニットがカメラ本体に取り付けられた状態の縦断面図。
【図８】本出願に係る発明の第１の実施の形態を示す視野枠切換え操作部の構成の分解斜視図。
【図９】本出願に係る発明の第１の実施の形態を示す視野枠切換え操作部が切換わった状態の背面図、（ａ）は視野枠がＣサイズに切換わった状態、（ｂ）は視野枠がＨサイズに切換わった状態、（ｃ）は視野枠がＰサイズに切換わった状態を示す。
【図１０】本出願に係る発明の第１の実施の形態を示す視野枠切換え駆動装置が切換わった状態の背面図、（ａ）は視野枠がＣサイズに切換わった状態、（ｂ）は視野枠がＨサイズに切換わった状態、（ｃ）は視野枠がＰサイズに切換わった状態を示す。
【図１１】本出願に係る発明の第１の実施の形態を示す視野枠切換え装置が切換わった状態の背面図、（ａ）は視野枠がＣサイズに切換わった状態、（ｂ）は視野枠がＨサイズに切換わった状態、（ｃ）は視野枠がＰサイズに切換わった状態を示す。
【図１２】本出願に係る発明の第１の実施の形態を示す視野枠切換え装置が視野枠切換え部材が切換わった状態の背面図、（ａ）は視野枠がＣサイズに切換わった状態、（ｂ）は視野枠がＨサイズに切換わった状態、（ｃ）は視野枠がＰサイズに切換わった状態を示す。
【図１３】従来例を示すファインダーユニットがカメラ本体に取り付けられた状態の縦断面図。
【符号の説明】
１…ファインダー地板（ファインダーケース）
１ａ…開口部
２…実像式ファインダー光学系（ファインダー光学系）
３…視野枠切換え装置            ７…対物レンズ
８…フィールドレンズ            ９…ポロプリズム
３５…カメラ本体                ３６…ギア列
３７…ギア押さえ板（保持部材）  ４０…撮影光学系
【図１】
0004011698.tif 000002
【図２】
0004011698.tif 000003
【図３】
0004011698.tif 000004
【図４】
0004011698.tif 000005
【図５】
0004011698.tif 000006
【図６】
0004011698.tif 000007
【図７】
0004011698.tif 000008
【図８】
0004011698.tif 000009
【図９】
0004011698.tif 000010
【図１０】
0004011698.tif 000011
【図１１】
0004011698.tif 000012
【図１２】
0004011698.tif 000013
【図１３】
0004011698.tif 000014